(57)【特許請求の範囲】
【請求項１】
複数の特定波長光のうち一部の波長光を反射し他の波長光を透過せしめる波長選択反射手段と、該複数の特定波長光のうち、前記他の波長光に対して１／４波長の位相差を与える１／４波長板手段と、少なくとも前記他の波長光を反射させる全反射手段とを有し、入射光が前記波長選択手段で前記一部の波長の反射光と前記他の波長の透過光とに分離され、該透過光が前記１／４波長板手段で作用を受けた後に前記全反射手段で反射し、該反射光が再び前記１／４波長板手段に入射して作用を受けた後に、前記波長選択手段を透過して出射するように構成されていることを特徴とする光学素子。
【請求項２】
複数の特定波長光を出射可能な半導体レーザと、該半導体レーザからの光束を光記録媒体上の記録面に照射するために、前記光記録媒体に光を収束させる対物レンズとカップリングレンズとを有する光学手段と、該光学手段によって導かれた光が前記記録面で反射した際に戻り光束を受光する受光素子とを有し、前記記録媒体に対する情報の記録または再生を行う機能を有する光ピックアップ装置において、該光ピックアップ装置は、前記複数の特定波長光のうち一部の波長光を反射し他の波長光を透過せしめる波長選択反射手段と、前記複数の特定波長光のうち前記波長選択手段を透過した前記他の波長光に対して１／４波長の位相差を与える１／４波長板手段と、前記他の波長光を反射させる全反射手段とを有する光学素子を備え、該光学素子が前記光記録媒体に光を収束させる対物レンズとカップリングレンズの間の光路上に配されていることを特徴とする光ピックアップ装置。
【請求項３】
請求項２に記載の光ピックアップ装置において、前記１／４波長の位相差を与える前記他の波長光は、前記複数の特定波長光のうち、短波長側の１または複数の波長光であることを特徴とする光ピックアップ装置。
【請求項４】
請求項２または３に記載の光ピックアップ装置において、前記光学素子は、入射光束を整形する光速整形手段を有することを特徴とする光ピックアップ装置。
【請求項５】
請求項４に記載の光ピックアップ装置において、前記光学素子は、該光学素子の入射面の法線と前記対物レンズの光軸とのなす角度が４５°より小さな角度で傾斜するように配置されることを特徴とする光ピックアップ装置。
【請求項６】
請求項４または５に記載の光ピックアップ装置において、少なくとも前記複数の特定波長光を出射する半導体レーザが一つのパッケージ内に実装された構成を有し、前記光学素子は、入射した各波長光の出射光における光軸と前記対物レンズの光軸とが少なくとも平行となるように構成されていることを特徴とする光ピックアップ装置。
【請求項７】
請求項２ないし６のいずれか１に記載の光ピックアップ装置において、前記光学素子は、前記対物レンズの光軸に対して９０°となる面を少なくとも備えることを特徴とする光ディスクドライブ装置。
【請求項８】
請求項２ないし６のいずれか１に記載の光ピックアップ装置において、前記光学素子は、光記録媒体に光を収束させる対物レンズと該対物レンズと一体で駆動するミラーとの間の光路上に配置されていることを特徴とする光ピックアップ装置。
【発明の詳細な説明】
【０００１】
【発明の属する技術分野】
本発明は、光学素子、光ピックアップ装置及び該光ピックアップ装置を用いた光ドライブ装置に関し、より詳細には、ＤＶＤ及びＣＤを共用の光ピックアップ装置及び光ドライブ装置に関する。
【０００２】
【従来の技術】
例えば、特開平６−２９５４６４号公報では、１／４波長板を用いた光ピックアップ装置が開示されているが、この装置において、１／４波長板は光利用効率を高める役割を担っている。１／４波長板は、レーザ光源からの直線偏光を円偏光に変換してディスクに照射し、ディスクで反射した円偏光をレーザからの出射光とは偏光方向が９０°異なる直線偏光に変換し、光を損失することなく受光素子に導く機能を果たしている。１／４波長板は光利用効率を高くできる反面、円偏光に変換すると反射面で位相差が生じやすくなるので、できるだけ対物レンズ付近の光路上に配置することが望まれる。
【０００３】
例えば、光ピックアップ装置において、対物レンズの真下に１／４波長板を配置することは、位相差を管理する観点からは望ましい手段である。しかしながら、対物レンズの真下に１／４波長板を配置するとドライブ装置全体が高さ方向に厚くなるという問題が生じる。そこで装置の薄型化を図るために、同じく対物レンズの下に配されている立上げ反射ミラーに１／４波長板の機能を持たせて、１／４波長板を省くことにより薄型化を可能にする手法がある。
【０００４】
また近年、ＣＤ及びＤＶＤの両方のメディアについて記録再生を行うことができるマルチライターと呼ばれる光ディスクドライブ装置が開発されてきている。ＣＤ及びＤＶＤを記録できるようにするためには、どちらのメディアに対しても高い光利用効率が求められる。そのためＣＤに用いられる７８０ｎｍ光、及びＤＶＤに用いられる６５０ｎｍ光どちらの波長光に対しても１／４波長板として機能するような２波長対応１／４波長板を必要とする。
【０００５】
しかしながら通常の波長板では、上記のような２波長どちらに対しても完全な１／４波長板としての機能を付与することはできず、２波長の入射光の両方に９０°（１／４波長）の位相差を与えるようにすることができず、９０°より少しずれた、例えば１００°や８０°の位相差を与えてしまう。このような場合、位相差が９０°からずれた分だけ、光利用効率の低下を招くことになる。
【０００６】
【発明が解決しようとする課題】
上述したごとくに、ＣＤ及びＤＶＤを記録再生できるマルチライターと呼ばれる光ディスクドライブ装置において、小型薄型化が求められている。これはデスクトップ型のパソコンに対して、ノートパソコンのようなモバイル型の小型なパソコンが急速に普及してきているためであり、それに合わせてドライブ装置にも小型薄型化が求められている。
【０００７】
本出願人らは光ピックアップ装置の小型薄型化のために、１つのパッケージ内にＣＤ用レーザチップとＤＶＤ用レーザチップとＰＤチップを実装して小型化する方式を提案してきた。さらにＣＤもＤＶＤも記録できるようにするためには高い光利用効率が求められるので、ビーム整形プリズムを用いたり、偏光を用いて光アイソレータ構成としたりしている。
【０００８】
ビーム整形プリズムを用いると、そのプリズムで曲げられた光路を折り返すためのミラーも必要となる。しかしミラー面では反射時に位相差が生じやすく、位相差が生じると円偏光が楕円偏光になってしまい、光アイソレータ構成における偏光が乱れて光利用効率が低下する。
【０００９】
光アイソレータ構成は、光利用効率を高くするだけではなく、光源へ戻る光を減らしてノイズに強い構成にもなっているが、高い光利用効率を確保するためにビーム整形プリズムを使っても、ミラーが増えると反射時に位相差が生じ、この位相差により光アイソレータにおける偏光が乱れるので光利用効率が低下し、光源へ戻る光も増えてノイズが大きくなりＳ／Ｎが低下してしまう。そこで光ピックアップ装置の小型化と高い光利用効率とを両立させることが課題となってくる。
【００１０】
本発明は上述のごとき実情に鑑みてなされたもので、例えばＤＶＤとＣＤ等複数波長光に対する対応とが可能な光ピックアップ装置に適用できる光学素子であって、特定波長光に対して１／４波長の位相差を付与できる位相差板機能と反射ミラー機能とを兼ね備えた光学素子と、該光学素子を用いることによって装置の光利用効率を高めて薄型化を実現した光ピックアップ装置と、該光ピックアップ装置を用いた光ディスクドライブ装置とを提供することを目的とするものである。
【００１３】
【課題を解決するための手段】
請求項１の発明は、複数の特定波長光のうち一部の波長光を反射し他の波長光を透過せしめる波長選択反射手段と、該複数の特定波長光のうち、前記他の波長光に対して１／４波長の位相差を与える１／４波長板手段と、少なくとも前記他の波長光を反射させる全反射手段とを有し、入射光が前記波長選択手段で前記一部の波長の反射光と前記他の波長の透過光とに分離され、該透過光が前記１／４波長板手段で作用を受けた後に前記全反射手段で反射し、該反射光が再び前記１／４波長板手段に入射して作用を受けた後に、前記波長選択手段を透過して出射するように構成されていることを特徴としたものである。
【００２０】
請求項２の発明は、複数の特定波長光を出射可能な半導体レーザと、該半導体レーザからの光束を光記録媒体上の記録面に照射するために、前記光記録媒体に光を収束させる対物レンズとカップリングレンズとを有する光学手段と、該光学手段によって導かれた光が前記記録面で反射した際に戻り光束を受光する受光素子とを有し、前記記録媒体に対する情報の記録または再生を行う機能を有する光ピックアップ装置において、該光ピックアップ装置は、前記複数の特定波長光のうち一部の波長光を反射し他の波長光を透過せしめる波長選択反射手段と、前記複数の特定波長光のうち前記波長選択手段を透過した前記他の波長光に対して１／４波長の位相差を与える１／４波長板手段と、前記他の波長光を反射させる全反射手段とを有する光学素子を備え、該光学素子が前記光記録媒体に光を収束させる対物レンズとカップリングレンズの間の光路上に配されていることを特徴としたものである。
【００２１】
請求項３の発明は、請求項２の発明において、前記１／４波長の位相差を与える前記他の波長光は、前記複数の特定波長光のうち、短波長側の１または複数の波長光であることを特徴としたものである。
【００２２】
請求項４の発明は、請求項２または３の発明において、前記光学素子は、入射光束を整形する光速整形手段を有することを特徴としたものである。
【００２３】
請求項５の発明は、請求項４の発明において、前記光学素子は、該光学素子の入射面の法線と前記対物レンズの光軸とのなす角度が４５°より小さな角度で傾斜するように配置されることを特徴としたものである。
【００２４】
請求項６の発明は、請求項４または５の発明において、少なくとも前記複数の特定波長光を出射する半導体レーザが一つのパッケージ内に実装された構成を有し、前記光学素子は、入射した各波長光の出射光における光軸と前記対物レンズの光軸とがすくなくとも平行となるように構成されていることを特徴としたものである。
【００２５】
請求項７の発明は、請求項２ないし６のいずれか１の発明において、前記光学素子は、前記対物レンズの光軸に対して９０°となる面を少なくとも備えることを特徴としたものである。
【００２６】
請求項８の発明は、請求項２ないし７のいずれか１の発明において、前記光学素子は、光記録媒体に光を収束させる対物レンズと該対物レンズと一体で駆動するミラーとの間の光路上に配置されていることを特徴としたものである。
【００２９】
【発明の実施の形態】
（実施例１）
光ピックアップ装置は、例えば、ＤＶＤもＣＤもどちらの光学系に対しても光利用効率を高くするために、２波長どちらに対しても１／４波長（９０°）の位相差を与えられるような広帯域１／４波長板を用いる。そしてこの広帯域１／４波長板には反射機能を持たせて対物レンズの下に配置させることにより、立上げ反射ミラー機能も兼用させる。これによりビーム整形プリズムの採用で反射面が増えても位相差が大きくならず、信号成分の劣化を抑制でき、また従来のように対物レンズの下に透過型の１／４波長板が配されないので装置の薄型化を図ることができる。
【００３０】
図１は、本発明の第１の実施例を説明するための図で、本発明に関わる光学素子を用いた光ピックアップ装置の概略構成を示すものである。図１は、光ピックアップ装置が備える６５０ｎｍと７８０ｎｍの二つの半導体レーザのうち、６５０ｎｍ半導体レーザからの出射光の作用について説明するためのものである。図１において、１は６５０ｎｍＬＤ（半導体レーザ）、２は７８０ｎｍＬＤ（半導体レーザ）、３は第１ホログラム、４は第２ホログラム、５はコリメートレンズ（カップリングレンズ）、６は光学素子、７は対物レンズ、８は光記録媒体、９は受光素子である。光源である６５０ｎｍＬＤ１から出射した直線偏光は、第１ホログラム３、及び第２ホログラム４を順に透過してコリメートレンズ５で平行光になり、光学素子６で反射して対物レンズ７の作用により集光されて光記録媒体８を照射する。
【００３１】
光学素子６では、入射直線偏光が透過して反射する際に合計で１／４波長の位相差が与えられ、円偏光となって出射し、光記録媒体８を照射する。そして光記録媒体８で反射した光はもと来た光路を戻り、光学素子６で再度反射して、このときに同様の作用を受けて１／４波長の位相差が与えられ、６５０ｎｍＬＤ１からの出射光とは偏光方向が９０°異なる直線偏光になる。この直線偏光は、第２ホログラム４で回折されて受光素子９で受光される。このとき第２ホログラム４は６５０ｎｍ光を回折させ、しかも偏光方向により回折効率が異なる偏光ホログラムである。
【００３２】
図２は、図１に示す第１の実施例において、７８０ｎｍＬＤ２からの出射光の作用について説明するための図である。７８０ｎｍＬＤ２から出射した直線偏光は、図１と同様に第１ホログラム３及び第２ホログラム４を透過してコリメートレンズ５で平行光になり、光学素子６で反射して、対物レンズ７により集光されて光記録媒体８を照射する。ここで光学素子６で反射する際に約１／４波長の位相差が与えられるので、反射した光はほぼ円偏光になって光記録媒体８を照射する。
【００３３】
光記録媒体８で反射した照射光はもと来た光路を戻り、光学素子６で再度反射して、このときに同様に１／４波長の位相差が与えられて７８０ｎｍＬＤ２からの出射光とは９０°偏光方向が異なる直線偏光になる。この直線偏光は第１ホログラム３で回折されて受光素子９で受光される。第１ホログラム３は、７８０ｎｍ光を回折させ、しかも偏光方向により回折効率が異なる偏光ホログラムである。
【００３４】
図３は、本発明による光学素子の一実施例における詳細な構成と作用とを説明するための図で、図中、６は光学素子、６ａ，６ｄはガラス基板、６ｂは位相差膜、６ｃは全反射膜である。光学素子６は、上述のように複数の特定波長光（本実施例では、６５０ｎｍと７８０ｎｍ波長光）に対して位相差を付与する広帯域波長板として機能する位相差膜６ｂと、入射光直線偏光を反射させ、その際に直線偏光がその位相差膜６ｂを２回通過して１／４波長の位相差が付与されて円偏光となるようにする全反射膜６ｃとを備える。広帯域１／４波長板として機能する位相差膜６ｂとしては、有機膜を複数枚重ねることにより波長分散を抑制した構成のものを用いる。
【００３５】
図３に示すように、光学素子６は、ガラス基板６ａとガラス基板６ｄとの間に位相差膜６ｂと全反射膜６ｃが挟まれた形に構成されている。レーザ光源から出射した直線偏光はガラス基板６ａを通って位相差膜６ｂを透過し、このとき位相差膜６ｂによって位相差が与えられて楕円偏光となる。次に全反射膜６ｃで反射して再度位相差膜６ｂを透過する。ここでさらに位相差が与えられ、合計で１／４波長の位相差が付与されてほぼ円偏光となってディスクへと向かう。この位相差膜６ｂは広帯域１／４波長板であって、６６０ｎｍ，７８０ｎｍのいずれの波長光に対しても１／４波長（９０°）の位相差を与える。上記のような構成の光ピックアップ装置では、本実施例に示す光学素子６と光記録媒体との間を除く光路上の要素は、全て直線偏光を透過させるので、位相差による信号劣化を最小限に抑えることができる。
【００３６】
図１２は、例えばビーム整形プリズムを使ってピックアップを小型にしようとしたときの光学系の一例を示す図で、図中、１７はビーム整形プリズム、１８は立上げ反射ミラー、１３はミラー一体型アクチュエータ、１４は反射ミラー、１５はホログラムユニット、１５ａは１／４波長板、１６は対物レンズである。
【００３７】
図１２において、図示しない光源から出射した直線偏光は、ホログラムユニット１５に設けられている１／４波長板１５ａで円偏光に変換され、ビーム整形プリズム１１、反射ミラー１４、ミラー一体型アクチュエータ１３のミラー、及び立上げ反射ミラー１２で反射して対物レンズ１６に入射し、集光されてディスクを照射する。そしてディスクで反射した光は、入射光路を逆に進んで１／４波長板１５ａへと戻る。この間、円偏光の状態で反射する面が４面（往復の光路を考えればのべ８面）存在しているので、この４面全てにおいて位相ずれが生じないように管理しないと光利用効率が低下してしまう。
【００３８】
上記のようにＤＶＤ用とＣＤ用の両波長光に対して位相ずれが生じないようにするためには、図１２に示す４つ反射面の全てにおいて約３０層以上に及ぶ多層コートを施す必要がある。このような多層コートは、２波長の光に対して高い反射率を確保し、かつ２波長光の両方に対して位相差が生じないようにするために必要なもので、２波長光源を搭載するピックアップ固有の課題である。また仮に多層コートにより個々の位相ずれを少なくできたとしても、上記多層コートを必要とする面は４面あるので、わずかの位相ずれであってもこれらが加算されることによってトータルの位相のバラツキが大きくなってしまう。
【００３９】
本発明では、図１２におけるホログラムユニット１５に１／４波長板１５ａを設けず、立上げ反射ミラー１８に１／４波長板の機能を持たせるようする。これにより、ビーム整形プリズム１７、立上げ反射ミラー１８、及びミラー一体型アクチュエータ１３のミラーでは、２波長のいずれの波長光においても直線偏光が反射するので、約３０層以上に及ぶ多層コートを施す必要がなくなり、通常の金属膜コートを用いることができるため低コスト化を図ることができる。
【００４０】
上述のように６５０ｎｍ波長光、及び７８０ｎｍ波長光のどちらに対しても１／４波長の位相差を与える広帯域１／４波長板と立上げ反射ミラーとを兼用した光学素子により、上記の両波長光において高い光利用効率を得ることができ、位相バラツキも小さくなり、高価な多層コートの反射膜も不要になる。しかも上記の光学素子は反射機能を有しているので、従来の立上げ反射ミラーの代わりに設置するだけでよく、光ピックアップ装置の高さが高くなるようなことはなく、装置の薄型化にも適した構成である。
【００４１】
すなわち本実施例に係わる光ピックアップ装置では、広帯域１／４波長板により二つの波長光に対して約９０°の位相差が与えられるので、両波長光ともに光利用効率を高くすることができ、マルチライトなピックアップに好適である。また直線偏光に位相差を与えて円偏光に変換する光学素子は、対物レンズの直前の光路上に配されているので、ピックアップ部品に反射面が多く存在していてもそれらの反射面では直線偏光で反射することになり、位相維持のために反射面に多層膜を形成する必要がなく、装置の低コスト化を図ることが可能になる。
【００４２】
次に上記のごとくに広帯域１／４波長板として機能する多層位相差膜について具体的に説明する。図１３は、本実施例の光学素子として用いる１／４波長板の機能について説明するための図で、１／４波長板の偏光変換機能を説明するための図を図１３（Ａ）に、１／４波長板の波長分散について説明するための図を図１３（Ｂ）に示すものである。
【００４３】
上記のごとくに、本実施例では、６５０ｎｍ、７８０ｎｍの両方の波長光に対して１／４波長（９０°）の位相差を与える広帯域波長板を用いている。両波長光に対して同時に１／４波長の位相差を与えるためには、１／４波長板における波長分散が小さいことが必要である。そのためには位相差膜を複数枚重ねて個々の位相差膜の色分散をキャンセルするような構造にすれば良い。
【００４４】
本発明では、広帯域１／４波長板として有機膜を複数枚重ねることにより波長分散を抑制した構成のものを用いる。すなわち図１３（Ａ）に示すように、例えば有機膜を２枚重ねることによって６５０ｎｍと７８０ｎｍの波長光の偏光変換を行う。このときの波長分散は図１３（Ｂ）に示すように、有機膜を２枚重ねることにより、１枚の場合に比して波長分散が均一化される。このような有機膜としては、ポリカーボネートまたはポリビニルアルコールまたはポリメチルメタクリレート等があり、ポリビニルアルコールやポリカーボネートのような安価な有機材料を用いることにより低コスト化を図ることができる。
【００４５】
また、今後青色レーザを使ったより高密度な光ディスクの出現も予測される。そのような場合は、３種の波長光：λ１、λ２、λ３（λ１＜λ２＜λ３）に対して同時に１／４波長の位相差を与える必要がある。その場合の広帯域波長板は、上記３種の波長光に対して位相差が等しくなるような波長分散特性を有していなければならない。この場合にポリビニルアルコールやポリカーボネートのような有機材料を複数枚組み合わせることにより、上記３種の波長光のそれぞれに対し１／４波長の位相差が得られるようにする必要がある。
【００４６】
図１４は、本発明に係わる１／４波長板の他の機能について説明するための図で、３層構成による１／４波長板の偏光変換機能を説明するための図を図１４（Ａ）に、３層構成の１／４波長板の波長分散について説明するための図を図１４（Ｂ）に示すものである。図１４（Ａ）に示すように、有機膜を３枚重ねることによって、例えば４１０ｎｍと６５０ｎｍと７８０ｎｍの波長光の偏光変換を行う。このとき図１４（Ｂ）に示すように、有機膜を３枚重ねることにより、該当する各波長（４１０ｎｍ，６５０ｎｍ，７８０ｎｍ）に対して波長分散を低く抑えることができる。すなわち、図１４（Ｂ）に示すように、λ１〜λ３全領域に渡って１／４波長の位相差を維持しなくても、離散的に存在しているλ１、λ２、λ３に合わせて位相差が１／４波長になるようにすればよい。
【００４７】
上記のように、本発明によれば、有機膜を複数重ねて波長分散を小さくすることにより、安価に広帯域１／４波長板を実現できるのでピックアップの低コスト化に有利である。
【００４８】
（実施例２）
上記実施例１では、広帯域１／４波長板により２つまたは３つの波長光のすべてに対して１／４波長の位相差を与えて、すべての波長光において高い光利用効率が得られるようにした。本実施例の光ピックアップ装置は、例えばＤＶＤ用の波長光にのみ１／４波長の位相差を与えて円偏光にすることにより光利用効率を高め、ＣＤ用の波長光には１／４波長以外の位相差を与えて楕円偏光とし、光利用効率はＤＶＤほど高くならないが従来のホログラムユニットを流用できるようにして低コスト化を図るようにしたものである。
【００４９】
一般的にＬＤの開発においては、短波長ＬＤを高出力化することが難しいため、上記のようにλ１、λ２（λ１＜λ２）の波長光に対しては、短波長側のλ１の波長光の方の光利用効率を高くする必要がある場合が多い。そこで本実施例では、２つの波長光に対して１／４波長の位相差を与えるのではなく、１つの波長光（特に短波長側の波長光）にのみ１／４波長の位相差を与えて、他の波長光には１／４波長以外の位相差を与える。
【００５０】
図４は、位相差と信号強度との関係の一例を示すグラフである。例えば６５０ｎｍの波長光に１／４波長（９０°）の位相差（６５０／４＝１６２.５ｎｍ）を与えると、６５０ｎｍの波長光は円偏光になり、高い光利用効率が得られる。このとき上記の１６２.５ｎｍの位相差は、７８０ｎｍ波長光の場合には７５°の位相差に相当（１６２.５／７８０×３６０＝７５）するので、図４に示すように、得られる信号強度が約９２％となって、９０°の位相差に対して約８％光利用効率が低下する。
【００５１】
上記の方式は、一方の波長光（長波長側の波長光）で８％の効率低下となるが、長波長光側についてはＬＤ自体が高出力であること、また受光素子自体の感度も長波長側で大きな出力が得られること、を考えると２波長記録型のドライブ装置の仕様を十分満たすことができる可能性がある。しかも波長板としては広帯域ではない通常の波長板を用いることができるので、低コスト化を図ることが可能になる。
【００５２】
また３波長に対して本実施例の方式を適用する場合にも、上記２波長対応の場合と同様のことが言える。例えば、３波長λ１，λ２，λ３（λ１＜λ２＜λ３）が４１０ｎｍ，６５０ｎｍ，７８０ｎｍであるとき、現状ではλ１（４１０ｎｍ）ＬＤの高出力化が最も遅れているので、３波長対応光ディスクドライブ装置においては、１／４波長板は最も短波長であるλ１（４１０ｎｍ）に対して１／４波長の位相差を付与するようにすればよい。
【００５３】
４１０ｎｍの１／４波長は１０２.５ｎｍであって、λ２（６５０ｎｍ）に対しては位相差が５７°程度になってしまい光利用効率は８０％以下にまで低下する可能性があるが、再生用途としては十分に利用できるレベルにある。λ２（６５０ｎｍ）の光利用効率低下が望ましくない場合は、実施例１で示したように広帯域１／４波長板を使うことが有効になる。
【００５４】
また、同様に３波長目７８０ｎｍの場合は４７°になり、図４に示すように光利用効率は、６０％以下にまで低下するが、再生用途としては十分に利用できるレベルにある。しかも７８０ｎｍのＬＤは高出力化が進んでおり、光利用効率が低くてもＬＤの絶対パワーは確保できる。したがって記録速度を少し低くすれば十分記録可能なレベルの光パワーを確保できる。
【００５５】
本実施例では、例えばＬＤ出力が十分でないＤＶＤ用の波長光にのみ１／４波長の位相差を与えて、ＣＤ用の波長光には１／４波長から少しずれた位相差であっても適用できるようにすることにより、ＤＶＤ用光学系の光利用効率を高め、またＣＤ用光学系には従来の部品を使用できるようにして低コスト化を図ることができる。
【００５６】
（実施例３：請求項１乃至３に対応）
上記実施例１及び２では、ＤＶＤとＣＤとを共に記録または再生することを想定して両メディアに対応する両波長に１／４波長または所定の位相差を与えるようにした。しかしながら、ＬＤ光源の出射パワーが十分に大きければ、偏光ホログラムと１／４波長板を使ったアイソレータ構成としなくても十分な記録パワーを光記録媒体８上で確保できる。この場合は偏光ホログラムを使わないで通常の無偏光ホログラムを用いることができるのでコスト面で有利となる。すなわち本実施例は、例えばＤＶＤ用の波長光のみに１／４波長の位相差を与えて光利用効率を高め、ＣＤ用の波長光には位相差を与えないようにし、このときＣＤ側の光利用効率は高くならないが従来のホログラムユニットを適用できるようにして低コスト化を図るようにしたものである。
【００５７】
現在、ＣＤ系の７８０ｎｍＬＤはかなりの高出力化が進んでおり十分なパワーが得られている反面、ＤＶＤ系の６５０ｎｍＬＤは比較的に高出力化が進んでおらず十分なパワーが得られていない。そこでＣＤ系には無偏光ホログラムを使用し、ＤＶＤ系では１／４波長板を使ったアイソレータ構成としている場合が多い。そのような構成に対処するために、本発明の光学素子は図５のように構成することができる。
【００５８】
図５は、本発明の更に他の実施例の構成及び作用を説明するための図で、図中、１０は光学素子、１０ａはガラス基板、１０ｂは波長選択膜、１０ｃは位相差膜、１０ｄは全反射膜、１０ｅはガラス基板である。本実施例の光学素子１０は、図３に示す光学素子６の構成におけるガラス基板６ａと位相差膜６ｂとの間に波長選択膜が追加された構成となっている。すなわち、本実施例の光学素子１０は、ガラス基板１０ａとガラス基板１０ｅの間に、入射側から波長選択膜１０ｂと位相差膜１０ｃと全反射膜１０ｄとが順に狭持された構成を有している。
【００５９】
光源から出射した７８０ｎｍの波長光は、ガラス基板１０ａを透過し、波長選択膜１０ｂで反射して光記録媒体面へと向かう。一方、光源から出射した６５０ｎｍ光は、ガラス基板１０ａと波長選択膜１０ｂとを透過してさらに位相差膜１０ｃを透過する。６５０ｎｍの入射直線偏光は位相差膜１０ｃで位相差が与えられて楕円偏光となり、次に全反射膜１０ｄで反射して再度位相差膜１０ｃを透過する。このとき位相差膜１０ｃではさらに位相差が与えられ、合計で１／４波長の位相差が付与されてほぼ円偏光となる。この円偏光は、波長選択膜１０ｂを透過して光記録媒体８へと向かう。
【００６０】
本実施例のような構成であれば、６５０ｎｍの波長光には１／４波長の位相差を与えることができ、これにより光利用効率を高めることができる。一方７８０ｎｍの波長光には位相差を与えないので光利用効率は高くならないが、無偏光ホログラムを使った構成とすることができ、これにより低コスト化を図ることができる。
【００６１】
本実施例では、二つのうちの一方の波長光だけに光アイソレータ構成を適用して１／４波長の位相差を与え、他方の波長光は偏光を使わない構成とすることにより従来部品を転用できるようにして低コスト化できるようにした。なお、本実施例は、上記の２波長対応の光学素子だけでなく、３波長（またはそれ以上）に適用することが可能である。この場合、複数波長光のうちの一部の波長光（特に短波長側の１または複数波長光）に対して１／４波長の位相差を与えて円偏光とし、他の波長光を波長選択膜で反射させて使用するようにすればよい。
【００６２】
（実施例４：請求項４に対応）
本実施例は、上記実施例１の光学素子の構成にビーム整形機能を付加した構成を有するものである。すなわち、ＤＶＤもＣＤも光利用効率を高くするために、２波長対応１／４波長板と２波長ビーム整形プリズムを一体化させるものである。図６は、本発明の更に他の実施例における構成及び作用を説明するための図で、上記実施例１の構成にビーム整形機能を付加した光学素子を示す図である。図６において、１１は光学素子、１１ａはガラス基板、１１ｂは位相差膜、１１ｃはプリズム、１１ｄは全反射膜である。
【００６３】
光学素子１１は、ガラス基板１１ａと位相差膜１１ｂとプリズム１１ｃと全反射膜１１ｄとを有している。ピックアップ全体の構成は図１及び図２に示す構成が適用できるので、光学素子１１における光の振る舞いについて説明する。図６において、光源（図１の６５０ｎｍＬＤ１，７８０ｎｍＬＤ２）から出射した６５０ｎｍ光及び７８０ｎｍの直線偏光は、ガラス基板１１ａを通って位相差膜１１ｂを透過する。位相差膜１１ｂでは入射直線偏光に位相差が付与されて楕円偏光となる。楕円偏光は、次にプリズム１１ｃを通って全反射膜１１ｄで反射し、再度位相差膜１１ｂを透過する。この反射光は、位相差膜１１ｂでは更に位相差が与えられてほぼ円偏光となって、図１に示す光記録媒体８へと向かう。
【００６４】
本実施例の構成は、入射光に対して約１／４波長の位相差が与えられる点については上記実施例１と同様であるが、プリズム１１ｃを通すことにより、楕円形の形状で入射するビームの短軸方向を拡大してビーム整形を行うようにする。これにより１／４波長板を使ったアイソレータ構成により光記録媒体面への照射光量が増えるのに加えて、さらに光利用効率を高めることができ、より多くの光を光記録媒体面に照射できるので一層の高速記録化を図ることができる。
【００６５】
図１５は、上記のビーム整形について説明するための図で、図中、２１はコリメートレンズ、２２は第１のプリズム、２３は第２のプリズムである。光ピックアップ装置において、とくに記録型の場合に光利用効率をできるだけ高めるために、レーザ光源の近傍にコリメートレンズを配するように、またはＮＡの大きなコリメートレンズを用いるように構成するが、この場合、コリメートレンズから楕円形のビームが出射されるため、対物レンズで集光されて光記録媒体上で楕円形のスポットができてしまう。そこでコリメートレンズの後の楕円ビームを円形にするためにビーム整形が必要になる。
【００６６】
すなわち、図１５に示すように、コリメートレンズから出射した楕円形状のビームＢ1を例えばプリズムのような光学系を用いて強度分布が等方な円形ビームＢ2に整形することができる。図１５はコリメートレンズ２１の後の光路上に二つの三角プリズム２２，２３を配してビーム整形を行うための構成を示す。ここでは入射光束と同方向に光束を出射させるために二つのプリズムを用いているが、本実施例のようにひとつのプリズムでビーム整形が可能である。
【００６７】
第１のプリズム２２において、入射角θ1、屈折角θ0、入射ビーム径Ｄ1、出射ビーム径Ｄ0との間には、
ＤP＝Ｄ1／sin（９０−θ1）＝Ｄ0／sin（９０―θ0）
よってＤ0／Ｄ1＝cosθ0／cosθ1      ・・・式１
となり、プリズムの屈折率をｎとすると、θ1とθ0との関係はスネルの法則により、sinθ1＝ｎ sinθ0となる。このときプリズムの頂角をαとすると、α＝θ0となるので、上記式１は、
Ｄ0／Ｄ1＝cos α／（１−ｎ2sin2α）1/2 ・・・式２
となり、上記式２を考慮してプリズムの設計と配置を行えば、ビーム整形光学系を構成することができる。なお、このようなビーム整形は、円筒レンズを組み合わせることによっても実現できるが、プリズムを用いた方が制作が容易である。
【００６８】
上述したごとくのビーム整形機能を有する光学素子を用いることによって、ＤＶＤ用波長光及びＣＤ用波長光をビーム整形することにより、両波長光とも光利用効率を高めて高速記録に対応できるマルチライトなピックアップを実現することができる。なお、図６に示す構成は、上記実施例２にビーム整形機能を付加した構成にも適用できることは明らかである。
【００６９】
（実施例５：請求項４に対応）
本実施例は、上記実施例４と同様にビーム整形機能を有する光学素子の実施例を説明するもので、上記実施例３の構成にビーム整形機能を付加した構成を有するものである。図７は、本発明における更に他の実施例の構成及び作用を説明するための図で、図中、１２は光学素子、１２ａはガラス基板、１２ｂは波長選択膜、１２ｃは位相差膜、１２ｄはエッジプリズム、１２ｅは全反射膜である。上記実施例３では、ＬＤパワーが不足している特定の波長の光に対してのみ１／４波長の位相差を与えて光アイソレータ構成とし、ＬＤパワーが十分に確保されている波長の光に対しては光アイソレータ構成としない例について説明した。本実施例は、上記のような構成にさらにビーム整形機能を付加したものである。
【００７０】
すなわち、本実施例は、ＬＤパワーが不足している波長の光に対してのみビーム整形して光利用効率を上げるようにしたものである。図７に示す光学素子１２は、図５に示すガラス基板１０ｅのかわりにエッジプリズム１２ｄを配して構成したものである。本実施例の光学素子１２は、ガラス基板１２ａと波長選択膜１２ｂと位相差膜１２ｃとエッジプリズム１２ｄと全反射膜１２ｅとを有している。
【００７１】
光源（図１の７８０ｎｍＬＤ２）から出射した７８０ｎｍの波長光は、ガラス基板１２ａを通って波長選択膜１２ｂで反射して光記録媒体面へと向かう。一方、光源（図１の６５０ｎｍＬＤ１）から出射した６５０ｎｍ光は、ガラス基板１２ａを通って波長選択膜１２ｂを透過してさらに位相差膜１２ｃを透過する。６５０ｎｍの直線偏光は、位相差膜１２ｃで位相差が与えられ楕円偏光となり、次にエッジプリズム１２ｄを介して全反射膜１２ｅで反射して再度位相差膜１２ｃを透過する。この反射光は位相差膜１２ｃでさらに位相差が与えられてほぼ円偏光となって波長選択膜１２ｂを透過して図１の光記録媒体８へと向かう。エッジプリズム１２ｄでは、ビーム整形がなされる。なお、ビーム整形機能については、上記実施例４において説明しているので、その繰り返しの説明は省略する。
【００７２】
上記のような本実施例の構成によれば、６５０ｎｍ光にのみ１／４波長の位相差を与えてかつビーム整形も行なうことができるので、光利用効率を一層高めることができる。また７８０ｎｍ光には、位相差を与えないので光利用効率は高くならないが、無偏光ホログラムを使った構成として従来の部品を適用できるようにし、これにより低コスト化を図ることができる。
【００７３】
（実施例６：請求項５に対応）
図８は、本発明における更に他の実施例の構成及び作用を説明するための図で、図中、１１は光学素子、１１ａはガラス基板、１１ｂは位相差膜、１１ｃはエッジプリズム、１１ｄは全反射膜、Ｘは対物レンズの光軸である。本実施例は、図６に記載した上記実施例４の光学素子１１を使用して、光ピックアップ装置を薄型化した構成を示すものである。光学素子１１は、上記実施例４で説明したごとくに、ＤＶＤとＣＤを共に記録または再生することを想定して両対応波長光に１／４波長の位相差を与え、かつ対物レンズ７（図１）に入射させるための立上げ反射ミラーの機能を兼用させ、さらにビーム整形機能を備えるものである。
【００７４】
光学素子１１は、ガラス基板１１ａと位相差膜１１ｂとエッジプリズム１１ｃと全反射膜１１ｄとを有している。エッジプリズム１１ｃは、光源からの光の入射側が厚く、対物レンズ７への出射側が薄い形状となっている。このとき全反射膜１１ｄの全反射面の法線は、対物レンズ７の光軸Ｘに対して角度βだけ傾いている。前記全反射面で反射した光が対物レンズの光軸Ｘと平行になって出ていくためには、βは４５°より小さな値になっていなければならない。またガラス基板１１ａの入射側表面の法線と上記対物レンズの光軸Ｘとの傾きαも同様に４５°より小さな値になっていなければならない。
【００７５】
従来の立上げ反射ミラーはそのミラー表面の法線と対物レンズの光軸Ｘとのなす角度が４５°であるのに対して、上述のようなエッジプリズム形状を有する実施例の光学素子は、上記の角度が４５°より小さい値に傾いているので、ピックアップの高さ方向の厚みが増大することなく、ピックアップの高さ方向の厚みを小さくすることができる。
【００７６】
逆に図９に示したように、エッジプリズム１１ｃを出射側が厚い形状とすると、全反射膜１１ｄの全反射面の法線と対物レンズの光軸とのなす角度γが４５°より大きい値になるため、ピックアップの高さ方向の厚みを薄くすることができない。すなわち、本実施例のごとくに対物レンズ７への出射側が薄い形状のプリズムを使うことによりピックアップの薄型化を図ることができ、ノートパソコンのようなモバイルコンピュータへの搭載に好適となる。
【００７７】
本実施例に係わる光ピックアップ装置は、光学素子の高さが通常の立上げ反射ミラーよりも薄くなるように、前反射膜の全反射面の法線と対物レンズの光軸とが４５°より小さくなるように傾けて配置することにより、ピックアップの薄型化を図ってノートパソコンやモバイル機器に対応しやすいようにすることができる。
【００７８】
（実施例７：請求項６に対応）
実施例４及び実施例６においては、２種の波長光の両方に対して１／４波長の位相差が与えられると共に、ビーム整形用のプリズムによってビーム整形がなされているが、ビーム整形用プリズムを光が通過する際に、ビーム整形プリズムが有する色収差を用いることにより、６５０ｎｍと７８０ｎｍの発光点の位置が異なる場合でも、光軸と入射角を等しく合わせて対物レンズに入射させることができる。近年、ピックアップの小型化のために１つのＬＤチップに６５０ｎｍと７８０ｎｍの２つの発光点を有するモノリシックＬＤや、２つのＬＤチップを１つのパッケージ内に近接配置させたワンパッケージ構成のピックアップが提案されている。
【００７９】
図１０は、上記のようなワンパッケージ構成の光源をもつ光ピックアップ装置における２つの光源の配置に係わる光路について説明するための図である。上述のような光源を用いる場合に、２つの発光点（６５０ｎｍＬＤ１，７８０ｎｍＬＤ２）を同時にコリメートレンズ５の光軸Ｘｃ上に配置できないので、どちらの発光点も上記光軸Ｘｃからずれた位置に配置されることになる。図１０に示すごとくの構成の場合、コリメートレンズ５の後の光路は、両波長光ともコリメートレンズ５の光軸Ｘｃと平行ではなく傾きをもって進んでいく。従ってそのままでは対物レンズ７（図１）に傾いて入射することになるので、光記録媒体上の集光スポットにコマ収差が生じることになる。
【００８０】
そこで本実施例では、光学素子１１のプリズム１１ｃの色収差を使って対物レンズへの入射光の光軸と、該対物レンズの光軸とが一致（あるいは少なくも平行）になるようにする。図１０に示すように、光学素子１１のプリズム１１ｃとガラス基板１１ａの材質とを選択して最適な色収差を与えることにより、６５０ｎｍと７８０ｎｍの２つの波長光における対物レンズへの入射光軸と該対物レンズの光軸とを一致させる（または平行にする）ことができる。このようにすれば、光記録媒体上の集光スポットにコマ収差が生じることは無くなる。
【００８１】
本実施例によれば、半導体レーザをひとつのパッケージに実装するような場合に、発光点の位置が違って光学素子への入射角が異なるような場合でも、光学素子において対物レンズへの入射光軸と対物レンズの光軸とを一致させる（または少なくとも平行にする）ことにより、収差を抑えて良好なスポットを得ることができる。また波長は違っても光軸が平行であるのでアクチュエータの動く量は通常のアクチュエータと同じでよく、アクチュエータの負担が増えない。
【００８２】
（実施例８：請求項７に対応）
図１１は、本発明における更に他の実施例について説明するための図である。本実施例は、上記各実施例に示した光ピックアップ装置において、ドライブ装置の高さ方向を薄くするために、光学素子の形状を規定したものである。具体的には、図１１に示すように、光学素子６の底面及び上面が対物レンズの光軸に垂直（９０°）になるように加工することにより、光ピックアップ装置の薄型化を図ることができる。
【００８３】
すなわち、上側のガラス基板６ａ，位相差膜６ｂ，全反射膜６ｃ、及び下側のガラス基板６ｄを積層したときに、通常、各面が矩形の積層体が得られる。この積層体を光学素子６として用いるときに、光ピックアップ装置において光学素子６が斜めに配されるように構成されるので、装置の薄型化を図るために、光学素子６の表面を研削加工することにより、装置への組み込みを行ったときの高さを低減させる。すなわち、光学素子６が対物レンズの光軸に垂直な面をもつように加工することにより、光ピックアップの薄型化を図ることができ、これによりノートパソコンやモバイル機器に好適に対応することができる。
【００８４】
（実施例９：請求項８に対応）
光ピックアップ装置の記録速度の高速化においては、３ビームトラッキング方式よりも１ビームトラッキング方式を採用した方がメインビームの光量を多くすることができて有利である。反面、１ビームトラッキング方式は、対物レンズシフト時にトラック信号に大きなオフセットが生じてしまい、正しくトラック検出を行うことができない。そこで本出願人は対物レンズと一緒にミラーも駆動するミラー一体型アクチュエータを開発することにより、１ビームトラッキングであり、かつトラック信号に大きなオフセットが生じない方法を提案してきた（例えば、特開平０９−１８０２０７号公報）。
【００８５】
上記特開平０９−１８０２０７号公報の方式は、光源からの光をミラーで反射させてから対物レンズに導くので、通常のアクチュエータに比べて、往路１回及び復路１回の計２回分反射面が多い。反射面に円偏光が入射すると位相差が生じてしまうため、ミラー一体型アクチュエータのミラーまでの光路において、反射面に直線偏光を入射させるようにすれば位相差を抑えることができる。従って本発明のように、ミラー一体型アクチュエータにおけるミラーまでの光路においては直線偏光とし、対物レンズ直前の立上げ反射ミラー部で円偏光に変換することにより、反射面が多くても位相差の発現量を少なくすることができる。
【００８６】
例えば図１２に示す構成で、ホログラムユニット１５に１／４波長板を設けず、ミラー一体型アクチュエータ１３のミラーまでは直線偏光で進行させ、立ち上げミラー１２に本発明の光学素子を用いて円偏光に変換することにより、ミラーで生じる位相差を抑制できる。すなわち、対物レンズとミラーが一体で動くアクチュエータに本発明に係わる光学素子を搭載することにより、高速記録に適した１ビームでトラック検出を行うことができ、さらにミラーで生じる位相差を抑えることができ、信号劣化のない良好な信号検出ができるようになる。
【００８７】
（実施例１０）
図１６は本発明に係わる光ディスクドライブ装置について説明するための図で、図中、３０は光ディスクドライブ装置、３１は２波長対応偏光ホログラム、３２は２波長対応色消しレンズ、３３は３波長ビーム整形プリズム、３４は可動ミラー、３５は対物レンズ、３６はＤＶＤディスク、３７はＣＤ径ディスク、３８は本発明に係わる広帯域１／４波長立ち上げミラーである。本発明の光ピックアップ装置を光ディスクドライブ装置３０に搭載すると、広帯域１／４波長板３８により２波長を円偏光にするので、両波長とも光利用効率が高くなり記録速度の速い光ディスクドライブ装置を実現できる。またＬＤへの戻り光も偏光が回転するのでノイズが少なくなり、信頼性の高い記録再生特性を得ることができるというメリットもある。上記各実施例に示した光ピックアップ装置は、位相差による信号劣化を最小限に抑えられるので高感度な信号検出を行うことができ、さらに光利用効率が高く薄型化も可能であるので、ノートパソコン内蔵のドライブ装置など、持ち運んだり電池などの限られた電力でより長時間使用したいような環境に適した光ディスクドライブ装置を実現することができる。
【００８８】
【発明の効果】
本発明の光学素子及び光ピックアップ装置によれば、例えばＤＶＤとＣＤメディアを兼用できるようにした複数波長対応のピックアップ装置において、複数波長光において光利用効率を高くし、最適化をはかることができ、これにより高速記録が可能になる。また本発明の光ピックアップ装置では対物レンズの直前で円偏光に変換されるようにすることにより、位相差の発現を最低限に抑えることができる。また広帯域波長板機能を有する光学素子と立上げ反射ミラーとを兼用化することにより、より薄型化を実現できる。光学素子は、有機膜を複数重ねて波長分散を小さくすることによりピックアップの低コスト化に有利となる。
【００８９】
また、例えば、ＬＤ出力が十分でないＤＶＤ用の波長光等特定の波長光にのみ１／４波長の位相差を与えるようにすることにより、上記特定波長光の光学系の光利用効率を高め、他の波長の光学系では従来部品を転用できるようにすることによって低コスト化できる。また上記一方の波長だけを光アイソレータ構成として１／４波長の位相差を与え、他方の波長は偏光を使わない構成とすることにより従来部品を転用できるようにすることができ、低コスト化できる。
【００９０】
また、複数の波長光をビーム整形して光利用効率を高めることにより、高速記録に対応できるマルチライトなピックアップを実現できる。あるいは特定の波長光のみビーム整形して光利用効率を高め高速記録に対応できるようにして、他の波長光はビーム整形しないようにすることにより従来部品を転用できるようにして低コスト化が可能になる。
【００９１】
また、光学素子の高さが通常の立上げ反射ミラーよりも低くなるように、傾けて配置することによりピックアップの薄型化を図ってノートパソコンやモバイル機器に対応しやすいようにすることができる。また光源の発光点位置が違っても対物レンズへの入射光軸とレンズの光軸とが平行となるようにすることにより、収差を抑えて良好なスポットを得ることができる。また、光学素子の上面と底面を研削加工することにより、ピックアップの薄型化を図ることができ、ノートパソコンやモバイル機器に対応できる。
【００９２】
また、本発明の光ピックアップ装置を対物レンズとミラーが一体で動くアクチュエータに搭載することにより、高速記録に適した１ビームでトラック検出を行うことができ、さらにミラーで生じる位相差を抑えることができ、信号劣化のない良好な信号検出ができるようになる。
【００９３】
また、本発明による光ディスクドライブ装置は、本発明の光ピックアップ装置を搭載することにより、小型化と省エネ効果を実現でき、携帯型のドライブ装置に適用することより持ち運びが容易になり、かつ長時間再生が可能になる。
【図面の簡単な説明】
【図１】  本発明の第１の実施例を説明するための図である。
【図２】  図１に示す第１の実施例において、７８０ｎｍＬＤからの出射光の作用について説明するための図である。
【図３】  本発明による光学素子の一実施例における詳細な構成と作用とを説明するための図である。
【図４】  位相差と信号強度との関係の一例を示すグラフである。
【図５】  本発明の更に他の実施例の構成及び作用を説明するための図である。
【図６】  本発明の更に他の実施例における構成及び作用を説明するための図である。
【図７】  本発明における更に他の実施例の構成及び作用を説明するための図である。
【図８】  本発明における更に他の実施例の構成及び作用を説明するための図である。
【図９】  ビーム整形手段の配置における比較例を説明するための図である。
【図１０】  ワンパッケージ構成の光源をもつ光ピックアップ装置における２つの光源の配置に係わる光路について説明するための図である。
【図１１】  本発明における更に他の実施例について説明するための図である。
【図１２】  例えばビーム整形プリズムを使ってピックアップを小型にしようとしたときの光学系の一例を示す図である。
【図１３】  本実施例の光学素子として用いる１／４波長板の機能について説明するための図である。
【図１４】  本発明に係わる１／４波長板の他の機能について説明するための図である。
【図１５】  本発明に適用するビーム整形機能について説明するための図である。
【図１６】  本発明に係わる光ディスクドライブ装置について説明するための図である。
【符号の説明】
１…６５０ｎｍＬＤ（半導体レーザ）、２…７８０ｎｍＬＤ（半導体レーザ）、３…第１ホログラム、４…第２ホログラム、５…コリメートレンズ（カップリングレンズ）、６…光学素子、６ａ…ガラス基板、６ｂ…位相差膜、６ｃ…全反射膜、６ｄ…下側のガラス基板、７…対物レンズ、８…光記録媒体、９…受光素子、１０…光学素子、１０ａ…ガラス基板、１０ｂ…波長選択膜、１０ｃ…位相差膜、１０ｄ…全反射膜、１０ｅ…ガラス基板、１１…光学素子、１１ａ…ガラス基板、１１ｂ…位相差膜、１１ｃ…プリズム、１１ｄ…全反射膜、１２…光学素子、１２ａ…ガラス基板、１２ｂ…波長選択膜、１２ｃ…位相差膜、１２ｄ…エッジプリズム、１２ｅ…全反射膜、１３…ミラー一体型アクチュエータ、１４…反射ミラー、１５…ホログラムユニット、１５ａ…１／４波長板、１６…対物レンズ、１７…ビーム整形プリズム、１８…立上げ反射ミラー、２１…コリメートレンズ、２２…第１のプリズム、２３…第２のプリズム、３０…光ディスクドライブ装置、３１…２波長対応偏光ホログラム、３２…２波長対応色消しレンズ、３３…３波長ビーム整形プリズム、３４…可動ミラー、３５…対物レンズ、３６…ＤＶＤディスク、３７…ＣＤ径ディスク、３８…広帯域１／４波長立ち上げミラー。
【図１】
0004728542.tif 000002
【図２】
0004728542.tif 000003
【図３】
0004728542.tif 000004
【図４】
0004728542.tif 000005
【図５】
0004728542.tif 000006
【図６】
0004728542.tif 000007
【図７】
0004728542.tif 000008
【図８】
0004728542.tif 000009
【図９】
0004728542.tif 000010
【図１０】
0004728542.tif 000011
【図１１】
0004728542.tif 000012
【図１２】
0004728542.tif 000013
【図１３】
0004728542.tif 000014
【図１４】
0004728542.tif 000015
【図１５】
0004728542.tif 000016
【図１６】
0004728542.tif 000017